(57)【要約】      （修正有）【課題】単純な構成でありつつも、ノズル先端部からの液垂れが防止される新規なノズルヘッドを提供する。【解決手段】容器の上部に配置される本体を有し、この本体の側壁にノズル３が横向きに形成されたノズルヘッドであり、ノズル３は、ヘッド本体と一体に横向きに突出するノズル基部４と、このノズル基部４と一体に設けられるノズル本体５とからなる。ノズル本体５は、ノズル基部４と共に、ノズル３の内側に注出路Ｒを形成する筒状壁5aを有し、この筒状壁5aのうち、当該筒状壁5aの先端部を外向きに拡大させてリップ部5bとする。【選択図】図２
2008272660.tif 000002
【特許請求の範囲】
【請求項１】
容器の上部に配置される本体を有し、この本体の側壁にノズルが横向きに形成されたノズルヘッドであって、
ノズルの内側に注出路を形成する筒状壁のうち、当該筒状壁の先端部の少なくとも下側を外向きに拡大させてリップ部としたことを特徴とするノズルヘッド。
【請求項２】
前記リップ部を、円盤状とした請求項１に記載のノズルヘッド。
【請求項３】
前記リップ部を、下側が円弧の扇状とした請求項１に記載のノズルヘッド。
【請求項４】
前記注出路の開口部における周縁に面取り部を有する請求項１乃至３のいずれか一項に記載のノズルヘッド。
【請求項５】
前記リップ部は、注出路の開口部に向かって縮径する窪みを有する請求項１乃至４のいずれか一項に記載のノズルヘッド。
【請求項６】
請求項１乃至５のいずれか一項に記載のノズルヘッドと、このノズルヘッドの押下げ及びその復元により液体の吸引・加圧・排出が行われるポンプとを備えることを特徴とする蓄圧式噴出装置。
【発明の詳細な説明】
【技術分野】
【０００１】
本発明は、例えば、容器に充填されたシャンプーやリンス等に代表される液体の注出にあたり、容器の上部に配置されるノズルヘッド及び、それを備える蓄圧式噴出器に関するものである。
【背景技術】
【０００２】
ノズル先端部からの液垂れが防止されるノズルヘッドとしては、ノズルの注出路内に、この注出路を形成する周壁に沿って延在する棒体を有してその端部にそれぞれ口栓と係止片とを設けたアダプタをスライド可能に配し、ノズルヘッド内の圧力変化に応じてノズル開閉を行うものが提案済みである（例えば、特許文献１参照。）。
【特許文献１】実開平５−８１０５２号公報
【発明の開示】
【発明が解決しようとする課題】
【０００３】
しかしながら、一方で、こうしたアダプタを用いない単純な構成でノズル先端部からの液垂れが防止されるノズルヘッドについての需要が存在することも事実である。
【０００４】
本発明は、上述した要求に基づいてなされたものであり、
その目的とするところは、単純な構成でありつつも、ノズル先端部からの液垂れが防止される新規なノズルヘッド及び、それを備える蓄圧式噴出器を提供することにある。
【課題を解決するための手段】
【０００５】
本発明であるノズルヘッドは、容器の上部に配置される本体を有し、この本体の側壁にノズルが横向きに形成されたノズルヘッドであって、  ノズルの内側に注出路を形成する筒状壁のうち、当該筒状壁の先端部の少なくとも下側を外向きに拡大させてリップ部としたことを特徴とするものである。
【０００６】
本発明であるノズルヘッドによれば、前記リップ部を、円盤状とすることができる。
【０００７】
本発明であるノズルヘッドによれば、前記リップ部を、下側が円弧の扇状とすることもできる。
【０００８】
本発明であるノズルヘッドによれば、前記リップ部は、注出路の開口部における周縁に面取り部を有することが好ましい。
【０００９】
本発明であるノズルヘッドによれば、前記リップ部は、注出路の開口部に向かって縮径する窪みを有することが好ましい。
【００１０】
本発明である蓄圧式噴出装置は、上述のノズルヘッドと、このノズルヘッドの押下げ及びその復元により液体の吸引・加圧・排出が行われるポンプとを備えることを特徴とするものである。
【発明の効果】
【００１１】
本発明によれば、ノズルヘッドにおいて、そのノズルの内側に注出路を形成する筒状壁のうち、当該筒状壁の先端部の少なくとも下側を外向きに拡大させてリップ部としたことにより、単純な構成でありつつも、ノズル先端部からの液垂れを防止することができる。
【００１２】
本発明に係るリップ部は、液垂れを防止する目的から、ノズルを構成する筒状壁の先端部における少なくとも下側に形成すればよいが、当該リップ部を円盤状とすれば、容器を正立させた状態で使用する場合は勿論、容器を倒立させた状態、又は、容器を左右に傾けた状態で使用する場合にも、ノズル先端部からの液垂れを防止できる。
【００１３】
また、容器を正立させた状態で使用する場合や容器を左右に傾けた状態で使用する場合だけを考慮すれば、本発明に係るリップ部は、その下側が円弧の扇状となるようにすることもでき、この場合、リップ部を最小限の大きさに抑えつつも、液垂れを防止する効果が良好なものになる。
【００１４】
ところで、ノズル先端部からの液垂れの原因は、主として、ノズル先端部での液切れが良くないことに起因する。このため、本発明に係るリップ部に、注出路の開口部における周縁に面取り部を付加して設ければ、液体を注出路内に戻し易くなるため、ノズル先端部での液切れが良好なものとなり、ノズル先端部からの液垂れを防止する効果も更に良好なものになる。
【００１５】
また、本発明に係るリップ部に、注出路の開口部に向かって縮径する窪みを設けても、液体が注出路内に戻し易くなるため、ノズル先端部での液切れが良好なものとなり、ノズル先端部からの液垂れを防止する効果も更に良好なものになる。
【発明を実施するための最良の形態】
【００１６】
以下、図面を参照して、本発明の好適な形態を詳細に説明する。
【００１７】
図１は、本発明に従うポンプ容器を示す側面図である。このポンプ容器は、液体等の液状物を内容物とし、後述の本発明に従うノズルヘッド１と、このノズルヘッド１を摺動可能に保持しその押下げ及びその復元により内容物の吸引・加圧・排出が行われるポンプＰと、このポンプＰが装着され、内容物が充填される容器Ｃとを備える。
【００１８】
ノズルヘッド１は、容器Ｃの上部に配置される本体（以下、「ヘッド本体」という。）２を有し、このヘッド本体２の側壁2wにノズル３が横向きに形成されている。
【００１９】
図2(a)は、ノズル３をその軸線Ｏ方向に沿った断面で示す要部断面図である。
【００２０】
ノズル３は、ヘッド本体２と一体に横向きに突出するノズル基部４と、このノズル基部４と一体に設けられるノズル本体５とからなる。ノズル本体５は、その先端部（後述のリップ部5bが存在する部分）が、図１等に示すように、ノズル基部４に取り付けた状態で、やや下向きになるように形成されている。
【００２１】
ノズル本体５は、ノズル基部４と共に、ノズル３の内側に注出路Ｒを形成する筒状壁5aを有し、この筒状壁5aのうち、当該筒状壁5aの先端部を外向きに拡大させてリップ部5bとしている。
【００２２】
リップ部5bは、図3(a)に示すように、軸線Ｏからみたとき、真円形状となるような円盤状としてなる。また、リップ部5bは、注出路Ｒの開口部Ａにおける周縁ｅrに、図2(a)に示すように、面取り部5cが設けられている。この面取り部5cは、同図で見たときの形状が曲率半径r1で外向きに凸となるように形成されている。
【００２３】
更に、リップ部5bは、図2(a)に示すように、注出路Ｒの開口部Ａに向かって縮径する窪み5dを有する。この窪み5dは、同図で見たときの形状が曲率半径r2で外向きに凹となるように形成されている。
【００２４】
本形態によれば、ノズルヘッド１において、そのノズル３の内側に注出路Ｒを形成する筒状壁5aのうち、当該筒状壁5aの先端部を外向きに拡大させてリップ部5bとしたことにより、単純な構成でありつつも、ノズル３先端部からの液垂れを防止することができる。
【００２５】
特に、本形態は、リップ部5bを円盤状とすることで、容器Ｃを正立させた状態で使用する場合は勿論、容器Ｃを倒立させた状態、又は、容器Ｃを左右に傾けた状態で使用する場合にも、ノズル３先端部からの液垂れを防止できる。
【００２６】
また、本形態に係るリップ部5bには、注出路Ｒの開口部Ａにおける周縁ｅrに面取り部5cが設けられたことで、内容物を注出路Ｒ内に戻し易くなるため、ノズル３先端部での液切れが良好なものとなり、ノズル３先端部からの液垂れを防止する効果も更に良好なものになる。
【００２７】
また、本発明に係るリップ部5bには、注出路Ｒの開口部Ａに向かって縮径する窪み5dを設けられたので、内容物が注出路Ｒ内に戻し易くなるため、ノズル３先端部での液切れが良好なものとなり、ノズル３先端部からの液垂れを防止する効果も更に良好なものになる。
【００２８】
図2(b)は、ノズル３の他の形態であって、軸線Ｏ方向に沿った断面で示す要部断面図である。なお、先の形態と同一部分は同一符号をもって、その説明を省略する。
なお、本形態では、曲率半径r3を曲率半径r1よりも大きくしているが、この関係は、逆転していても、同等であってもよい。
【００２９】
図2(c)は、ノズル３の更に他の形態であって、軸線Ｏ1方向に沿った断面で示す要部断面図である。なお、この場合も、先の形態と同一部分は同一符号をもって、その説明を省略する。
【００３０】
本形態には、リップ部5bに、開口部Ａに向かって縮径する窪み5dが存在しないことにより、リップ部5bの先端部が平坦面5fを構成する。リップ部5bの先端部が平坦面5fである場合も、単純な構成でありつつも、ノズル先端部からの液垂れを防止することができ、また、開口部Ａに面取り部5cがされていることで、内容物を注出路Ｒ内に戻し易くなるため、ノズル３先端部での液切れが良好なものとなり、ノズル３先端部からの液垂れを防止する効果も更に良好なものになる。
【００３１】
図3(b)は、リップ部5bの他の形態を軸線Ｏからみたときの正面図であり、下側が円弧の扇状としてなる。本形態は、容器Ｃが比較的大型である場合、ノズル３先端部からの液垂れとして、容器Ｃを正立させた状態と、容器Ｃを左右に傾けた状態との二通りだけを考慮すればよいことから、リップ部5bの大きさを抑えつつも、液垂れを防止することができる。
【００３２】
図3(c)は、リップ部5bの他の形態を軸線Ｏからみたときの正面図であり、下側だけを外向きに垂下させて拡大させてなる。本形態は、容器Ｃを固定して移動させる必要がなく、ノズル３先端部からの液垂れとして、容器Ｃを正立させた状態だけを考慮すればよいことから、リップ部5bの大きさを最小限に抑えつつも、液垂れを防止することができる。
【００３３】
上述したところは、本発明の好適な形態をしたものであるが、特許請求の範囲において、種々の変更を加えることができる。
【００３４】
例えば、上述した各形態では、ノズル３をヘッド本体２と一体のノズル基部４と、ノズル本体５との別体にしたことで、ノズル本体５だけを予め成形等をできる。このため、ノズル本体２の形状を様々に変更することにより、ノズル３の形状を併せて変更できるので、ノズル３の形状についての自由度が広がる。
【００３５】
また、上述した各形態では、ノズル本体５との別体にしたことで、このノズル本体５だけをエラストマに代表される軟材質で成形することができる。この場合、使用時において、上述した本発明に特有な効果を実現しつつ、使い勝手もよくなる。
【００３６】
加えて、本発明のノズルヘッドによれば、リップ部5bの外周縁5eに丸みをつけたり、鋭角なエッジ状に構成することもできるが、図１等に示すように、リップ部5bの外周縁5eを鋭角なエッジ状にすれば、液切れをよくすることができる。また、本発明のノズルヘッドによれば、ノズル３をノズル基部４とノズル本体５との一体物とすることも可能である。
【００３７】
本発明のノズルヘッドは、図１の破線に示すように、ポンプＰと共にユニット化された蓄圧式噴出装置として容器Ｃに装着することができる。
【００３８】
また、本発明のノズルヘッドは、図１に示すポンプ容器のように、ポンプＰと、このポンプＰが装着される容器Ｃとからなる蓄圧式噴出容器とすることもできる。また、蓄圧式噴出容器とする場合には、ノズルヘッド１を、ポンプＰを介して容器Ｃに装着するのに代えて、容器Ｃを、使用者のスクイズ操作に伴う外力に応じた変形及び復元の可能なスクイズ容器とすることで、ノズルヘッドを直接装着してもよい。
【産業上の利用可能性】
【００３９】
本発明は、例えば、液体石鹸、シャンプー及びリンス等を内容物とする日用品や、乳液等を内容物とする化粧品に適用させることができる。
【図面の簡単な説明】
【００４０】
【図１】本発明に従うポンプ容器を示す側面図である。
【図２】(a)〜(c)はそれぞれ、各形態のノズルをその軸線方向に沿った断面で示す要部断面図である。
【図３】(a)〜(c)はそれぞれ、各形態のリップ部を軸線からみたときの正面図である。
【符号の説明】
【００４１】
１  ノズルヘッド
２  ノズル本体
2w  本体側壁
３  ノズル
４  ノズル基部
５  ノズル本体
5a  ノズル筒状壁
5b  リップ部
5c  面取り部
5d  窪み
5e  リップ部外周縁
Ａ  注出路開口部
Ｃ  容器
Ｐ  ポンプ
Ｒ  注出路
ｅr 開口部周縁
２  中皿
【図１】
2008272660.tif 000003
【図２】
2008272660.tif 000004
【図３】
2008272660.tif 000005